(57)【要約】【課題】ユーザに適切な運動コンテンツを提供する運動支援システムを実現する。【解決手段】運動支援システム１００では、表示装置１が運動コンテンツを再生する間、環境コントロール装置３がユーザの置かれた環境を、運動コンテンツの含む最適環境情報に合致させる。環境コントロール装置３によって環境調節されると共に、センシング装置２は、調節された環境に置かれたユーザの生体情報を検出する。表示装置１は、センシング装置２から受信したユーザの生体情報と、再生中の運動コンテンツの最適生体情報との間に一定の差がある場合に、他の運動コンテンツをサーバ装置４に要求する。サーバ装置４は、運動負荷の異なる他の運動コンテンツを選択し、表示装置１に送信する。表示装置１は、再生している運動コンテンツに換えて、サーバ装置４から受信した他の運動コンテンツを再生する。【選択図】図１
2011000191.tif 000002
【特許請求の範囲】
【請求項１】
運動の実施に最適であると予め設定された設定環境情報および設定生体情報を含む運動コンテンツを再生する再生手段と、
上記運動コンテンツの再生中にユーザが置かれた環境の環境情報を取得する取得手段と、
上記取得手段によって取得された上記環境情報に基づいて、上記環境を上記設定環境情報の内容に合わせるように調節する調節手段と、
上記運動コンテンツの再生中であって、上記調節手段によって上記環境が調節されると共に、上記環境におけるユーザの生体情報を検出する検出手段と、
上記検出手段によって検出された上記生体情報と、上記設定生体情報との間に一定の差があるか否か判定する判定手段と、
上記判定手段によって上記一定の差があると判定された場合に、再生中の上記運動コンテンツとは負荷の異なる他の運動コンテンツを選択する選択手段とを備え、
上記判定手段によって上記一定の差があると判定された場合に、上記再生手段は、再生中の上記運動コンテンツから、上記選択手段によって選択された上記他の運動コンテンツに切り替えて再生することを特徴とする運動支援装置。
【請求項２】
上記取得手段によって取得された上記環境情報と、上記設定環境情報とを比較し、その差に応じて環境制御情報を作成する制御手段をさらに備え、
上記調節手段は、上記制御手段によって作成された上記環境制御情報に従って上記環境を調節することを特徴とする請求項１に記載の運動支援装置。
【請求項３】
上記判定手段によって、上記検出手段によって検出された上記生体情報が、上記設定生体情報よりも一定の差を有して大きいと判定された場合、上記選択手段は、再生中の上記運動コンテンツよりも負荷の小さい他の運動コンテンツを選択し、
上記判定手段によって、上記検出手段によって検出された上記生体情報が、上記設定生体情報よりも一定の差を有して小さいと判定された場合、上記選択手段は、再生中の上記運動コンテンツよりも負荷の大きい他の運動コンテンツを選択することを特徴とする請求項１または２に記載の運動支援装置。
【請求項４】
上記生体情報および上記設定生体情報は、上記ユーザの脈拍数、血圧、体温、発汗量、疲労度、脳波、体勢、およびバランスの少なくともいずれか１つを表すデータであることを特徴とする請求項１から３のいずれか１項に記載の運動支援装置。
【請求項５】
上記環境情報および上記設定環境情報は、上記ユーザが置かれた環境の気温、湿度、照明の照度および色調、ならびに空気中の菌量の少なくともいずれか１つを表すデータであることを特徴とする請求項１から４のいずれか１項に記載の運動支援装置。
【請求項６】
運動の実施に最適であると予め設定された設定環境情報および設定生体情報を含む運動コンテンツを再生する再生工程を備え、
上記再生工程において、
上記運動コンテンツの再生中にユーザが置かれた環境の環境情報を取得する取得工程と、
上記取得工程において取得された上記環境情報に基づいて、上記環境を上記設定環境情報の内容に合わせるように調節する調節工程と、
上記調節工程において上記環境が調節されると共に、上記環境におけるユーザの生体情報を検出する検出工程と、
上記検出工程において検出された上記生体情報と、上記設定生体情報との間に一定の差があるか否か判定する判定工程と、
上記判定工程において上記一定の差があると判定された場合に、再生中の上記運動コンテンツとは負荷の異なる他の運動コンテンツを選択する選択工程とを、さらに備え、
上記判定工程において上記一定の差があると判定された場合に、再生中の上記運動コンテンツから、上記選択工程において選択された上記他の運動コンテンツに切り替えて再生することを特徴とする運動支援方法。
【請求項７】
環境調節装置と、センシング装置と、サーバ装置と、これらの各々とネットワークを介して接続可能な運動支援装置とを備え、
上記環境調節装置は、
上記運動支援装置における運動コンテンツの再生中にユーザが置かれた環境の環境情報を取得する取得手段と、
上記運動支援装置において作成された環境制御情報に従って上記環境を調節する調節手段とを備え、
上記センシング装置は、
上記運動支援装置における運動コンテンツの再生中であって、上記調節手段によって上記環境が調節されると共に、上記環境におけるユーザの生体情報を検出する検出手段を備え、
上記運動支援装置は、
運動の実施に最適であると予め設定された設定環境情報および設定生体情報を含む上記運動コンテンツを再生する再生手段と、
上記取得手段によって取得された上記環境情報と上記設定環境情報とを比較し、その差に応じて上記環境制御情報を作成する制御手段と、
上記検出手段によって検出された上記ユーザの生体情報と、上記運動コンテンツに含まれる生体情報と一定の差があるか否か判定する判定手段とを備え、
上記サーバ装置は、
上記判定手段によって上記一定の差があると判定された場合に、再生中の上記運動コンテンツとは負荷の異なる他の運動コンテンツを選択する選択手段とを備え、
上記判定手段によって上記一定の差があると判定された場合に、上記再生手段は、再生中の上記運動コンテンツから、上記選択手段によって選択された上記他の運動コンテンツに切り替えて再生することを特徴とする運動支援システム。
【請求項８】
請求項１〜５のいずれか１項に記載の運動支援装置を動作させる運動支援プログラムであって、コンピュータを上記の各手段として機能させるための運動支援プログラム。
【請求項９】
請求項８に記載の運動支援プログラムを記録しているコンピュータ読み取り可能な記録媒体。
【発明の詳細な説明】
【技術分野】
【０００１】
本発明は、ユーザに運動コンテンツを提供する運動支援装置、運動支援方法、運動支援プログラム、およびその記録媒体に関する。また、このような運動支援装置を含む運動支援システムに関する。
【背景技術】
【０００２】
一般的に、大型フィットネスクラブでの運動は、複数人で同時におこなうことが多いため、個人に合わせた気温、湿度、および照明等の環境パラメータの提供、および個人に合わせた運動目的および強度等の運動コンテンツを利用したプログラムの提供が難しい。これに対し、気軽にできるなどの利点から、自宅でテレビなどを利用して、運動コンテンツが収録されているＤＶＤを視聴しながらエクササイズをするリビングフィットネスユーザが増加している。しかしながら、上記のユーザは、大型フィットネスクラブでの運動と同様に、画一的なプログラムや環境でエクササイズを行なっており、個人に対して最適な運動環境や運動コンテンツを利用しているとは言えない。
【０００３】
このような問題を解決するために、自宅で快適に運動できる方法や、ユーザの体調に合わせて環境を制御する方法が検討されている。
【０００４】
例えば、特許文献１には、運動支援システムに関する技術が開示されている。特許文献１に記載の運動支援システムは、運動において、コンテンツに付随した運動負荷情報とバイタル情報とを基に、最適な運動負荷のコンテンツに変更して配信する。ユーザの運動能力や体調の変化に応じて、常に最適な運動コンテンツを提示することができるため、ユーザが効果的に運動をおこなうことができる。
【０００５】
なお、特許文献２には、環境の制御装置に関する技術が開示されている。特許文献２に記載の制御装置は、体温、脈拍等の生体情報や気温、湿度等の環境情報、および過去の利用情報を利用して環境や映像や音を制御することで、ある環境へと誘導することを可能にしている。ユーザの現在の体調に合わせた音や映像を提供するだけでなく、過去に経験した状態を再現することができる。
【先行技術文献】
【特許文献】
【０００６】
【特許文献１】特開２００６−２５５０２８号公報（平成１８年９月２８日公開）
【特許文献２】特開２００５−２１２５５号公報（平成１７年１月２７日公開）
【発明の概要】
【発明が解決しようとする課題】
【０００７】
しかしながら、上記の従来技術では、以下のような問題がある。
【０００８】
特許文献１に記載の運動支援システムは、十分に快適な運動環境を実現できているとはいえない。たとえば、発汗量のように環境による影響の大きい生体情報をパラメータとして利用する運動の場合などには、適切な運動コンテンツを提供することができない。
【０００９】
また、特許文献２に記載の制御装置によれば、ユーザに所望の環境を提供することができるが、本制御装置は、運動中のユーザを対象としておらず、運動中に変化するユーザの生体情報をリアルタイムで環境制御に反映するものではないため、最適な運動環境を実現できるとはいえない。
【００１０】
そこで、本発明は上記の問題点に鑑みてなされたものであり、その目的は、パーソナライズ可能な空間において、最適な運動環境および運動コンテンツを提供することにある。
【課題を解決するための手段】
【００１１】
本発明に係る運動支援装置は、上記の課題を解決するために、
運動の実施に最適であると予め設定された設定環境情報および設定生体情報を含む運動コンテンツを再生する再生手段と、
運動の実施に最適であると予め設定された設定環境情報および設定生体情報を含む運動コンテンツを再生する再生手段と、
上記運動コンテンツの再生中にユーザが置かれた環境の環境情報を取得する取得手段と、
上記取得手段によって取得された上記環境情報に基づいて、上記環境を上記設定環境情報の内容に合わせるように調節する調節手段と、
上記運動コンテンツの再生中であって、上記調節手段によって上記環境が調節されると共に、上記環境におけるユーザの生体情報を検出する検出手段と、
上記検出手段によって検出された上記生体情報と、上記設定生体情報との間に一定の差があるか否か判定する判定手段と、
上記判定手段によって上記一定の差があると判定された場合に、再生中の上記運動コンテンツとは負荷の異なる他の運動コンテンツを選択する選択手段とを備え、
上記判定手段によって上記一定の差があると判定された場合に、上記再生手段は、再生中の上記運動コンテンツから、上記選択手段によって選択された上記他の運動コンテンツに切り替えて再生することを特徴としている。
【００１２】
上記の構成において、運動支援装置は、運動の実施に最適だと予め設定された設定環境情報および設定生体情報を含む運動コンテンツを再生する。運動コンテンツの再生中、運動支援装置は、ユーザの置かれた環境の環境を測定し、測定した環境情報に基づいて、再生中の運動コンテンツの設定環境情報に合致するようにユーザの置かれた環境を調節する。
【００１３】
また、上記環境調節と共に、運動支援装置は、調節された環境に置かれたユーザの生体情報を検出する。検出したユーザの生体情報と、再生中の運動コンテンツの最適生体情報とを比較し、一定の差がある場合に、再生中の上記運動コンテンツとは負荷の異なる他の運動コンテンツを選択する。この場合、運動支援装置は、再生している運動コンテンツに換えて、選択した他の運動コンテンツを再生する。
【００１４】
すなわち、本発明に係る運動支援装置によれば、運動コンテンツを実施するために最適に調節された環境において、ユーザから生体情報を適切に取得することができる。さらに、ユーザの生体情報の変化に応じて、ユーザに提供する運動コンテンツを変更することができる。
【００１５】
したがって、本発明に係る運動支援装置を利用すれば、一般家庭のようなパーソナライズ可能な空間において、個人に適したコンテンツや環境での運動実現できる。その結果、自宅をユーザに最適化されたエクササイズ環境として利用することが可能となる。
【００１６】
（環境調節の一例）
さらに本発明に係る運動支援装置においては、上記取得手段によって取得された上記環境情報と、上記設定環境情報とを比較し、その差に応じて環境制御情報を作成する制御手段をさらに備え、
上記調節手段は、上記制御手段によって作成された上記環境制御情報に従って上記環境を調節することが好ましい。
【００１７】
上記構成によれば、ユーザの置かれた環境を、運動コンテンツに含まれる設定環境情報と比較し、その比較結果に基づいて、当該環境を調節するための環境制御情報を作成することができる。したがって、上記環境制御情報に基づくことによって、適切にユーザの置かれた環境を調節することができる。
【００１８】
（コンテンツ選択の一例）
さらに本発明に係る運動支援装置においては、上記判定手段によって、上記検出手段によって検出された上記生体情報が、上記設定生体情報よりも一定の差を有して大きいと判定された場合、上記選択手段は、再生中の上記運動コンテンツよりも負荷の小さい他の運動コンテンツを選択し、
上記判定手段によって、上記検出手段によって検出された上記生体情報が、上記設定生体情報よりも一定の差を有して小さいと判定された場合、上記選択手段は、再生中の上記運動コンテンツよりも負荷の大きい他の運動コンテンツを選択することが好ましい。
【００１９】
上記構成によれば、運動コンテンツの再生中、ユーザの生体情報の変化に応じて、ユーザの運動能力に合った負荷の運動コンテンツを提示することができるため、ユーザは効果的に運動を行なうことができる。
【００２０】
（生体情報および設定生体情報の一例）
さらに本発明に係る運動支援装置において、上記生体情報および上記設定生体情報は、上記ユーザの脈拍数、血圧、体温、発汗量、疲労度、脳波、体勢、およびバランスの少なくともいずれか１つを表すデータであることが好ましい。
【００２１】
上記構成によれば、脈拍数、血圧、体温、発汗量、疲労度、脳波、体勢、およびバランスなどの変化を検出することが可能となる。これらの変化に応じて、負荷の異なる運動コンテンツを提示することにより、ユーザの負担度を運動の目的に合ったものにすることができる。
【００２２】
（環境情報および設定環境情報の一例）
さらに本発明に係る運動支援装置において、上記環境情報および上記設定環境情報は、上記ユーザが置かれた環境の気温、湿度、照明の照度および色調、ならびに空気中の菌量の少なくともいずれか１つを表すデータであることが好ましい。
【００２３】
上記構成によれば、ユーザが置かれた環境の気温、湿度、照明の照度および色調、ならびに空気中の菌量などを測定することが可能となる。これらの環境情報を用いることによって、ユーザの置かれた環境を、運動コンテンツを実施するのに最適な状態に設定することができる。
【００２４】
（運動支援装置）
また本発明に係る運動支援方法は、上記の課題を解決するために、運動の実施に最適であると予め設定された設定環境情報および設定生体情報を含む運動コンテンツを再生する再生工程を備え、
上記再生工程において、
上記運動コンテンツの再生中にユーザが置かれた環境の環境情報を取得する取得工程と、
上記取得工程において取得された上記環境情報に基づいて、上記環境を上記設定環境情報の内容に合わせるように調節する調節工程と、
上記調節工程において上記環境が調節されると共に、上記環境におけるユーザの生体情報を検出する検出工程と、
上記検出工程において検出された上記生体情報と、上記設定生体情報との間に一定の差があるか否か判定する判定工程と、
上記判定工程において上記一定の差があると判定された場合に、再生中の上記運動コンテンツとは負荷の異なる他の運動コンテンツを選択する選択工程とを、さらに備え、
上記判定工程において上記一定の差があると判定された場合に、再生中の上記運動コンテンツから、上記選択工程において選択された上記他の運動コンテンツに切り替えて再生することを特徴としている。
【００２５】
上記の構成によれば、本発明に係る運動支援装置と同様の作用効果を奏する。
【００２６】
（運動支援システム）
また、本発明に係る運動支援システムは、上記の課題を解決するために、環境調節装置と、センサ装置と、サーバ装置と、これらの各々とネットワークを介して接続可能な運動支援装置とを備え、
上記環境調節装置は、
上記運動支援装置における運動コンテンツの再生中にユーザが置かれた環境の環境情報を取得する取得手段と、
上記運動支援装置において作成された環境制御情報に従って上記環境を調節する調節手段とを備え、
上記センサ装置は、
上記運動支援装置における運動コンテンツの再生中に、上記調節手段によって上記環境が調節されると共に、上記環境におけるユーザの生体情報を検出する検出手段を備え、
上記運動支援装置は、
運動の実施に最適であると予め設定された設定環境情報および設定生体情報を含む上記運動コンテンツを再生する再生手段と、
上記取得手段によって取得された上記環境情報と上記設定環境情報とを比較し、その差に応じて上記環境制御情報を作成する制御手段と、
上記検出手段によって検出された上記ユーザの生体情報と、上記運動コンテンツに含まれる生体情報と一定の差があるか否か判定する判定手段とを備え、
上記サーバ装置は、
上記判定手段によって上記一定の差があると判定された場合に、再生中の上記運動コンテンツとは負荷の異なる他の運動コンテンツを選択する選択手段とを備え、
上記判定手段によって上記一定の差があると判定された場合に、上記再生手段は、再生中の上記運動コンテンツから、上記選択手段によって選択された上記他の運動コンテンツに切り替えて再生することを特徴としている。
【００２７】
上記の構成によれば、運動支援システムは、運動コンテンツを実施するために最適に調節された環境において、ユーザから生体情報を適切に取得することができる。さらに、ユーザの生体情報の変化に応じて、ユーザに提供する運動コンテンツを変更することができる。
【００２８】
したがって、本発明に係る運動支援システムを利用すれば、一般家庭のようなパーソナライズ可能な空間において、個人に適したコンテンツや環境での運動実現できる。その結果、自宅をユーザに最適化されたエクササイズ環境として利用することが可能となる。
【００２９】
（プログラムおよび記録媒体）
なお、上記運動支援装置は、コンピュータによって実現してもよい。この場合、コンピュータを上記各手段として動作させることにより上記運動支援装置をコンピュータにおいて実現する運動支援プログラム、およびその運動支援プログラムを記録したコンピュータ読み取り可能な記録媒体も、本発明の範疇に入る。
【発明の効果】
【００３０】
本発明に係る運動支援装置は、運動コンテンツを再生する再生手段と、ユーザの置かれた環境を運動コンテンツの含む設定環境情報の内容に合わせるように調節する調節手段と、上記調節手段によって上記環境が調節されると共に、上記環境におけるユーザの生体情報を検出する検出手段とを備えている。また、本発明に係る運動支援装置は、上記検出手段によって検出された生体情報と運動コンテンツの含む設定生体情報との間に一定の差がある場合に、再生中の運動コンテンツと負荷の異なる他の運動コンテンツを再生する。このため、ユーザの生体情報の変化に応じて、最適な運動コンテンツを適切に提示することができる。
【図面の簡単な説明】
【００３１】
【図１】本発明の一実施形態に係る運動支援システムの腰部構成を示すブロック図である。
【図２】本発明の一実施形態に係る運動支援システムの構成を示す概略図である。
【図３】運動支援システム１００における初期設定の流を示すフローチャートである。
【図４】運動支援システム１００における運動開始前の処理の流を示すフローチャートである。
【図５】運動支援システム１００における運動開始後の処理の流を示すフローチャートである。
【図６】運動コンテンツデータの一例を示す図である。
【図７】他の実施形態に係る表示装置の構成を示すブロック図である。
【図８】他の実施形態に係るセンシング装置の構成を示すブロック図である。
【図９】他の実施形態に係る環境コントロール装置の構成を示すブロック図である。
【図１０】他の実施形態に係るサーバ装置の構成を示すブロック図である。
【図１１】他の実施形態に係る運動支援システムの構成を示す概略図である。
【発明を実施するための形態】
【００３２】
〔実施形態１〕
本発明に係る運動支援システムの一実施形態について、図１から図８を参照して以下に説明する。
【００３３】
（運動支援システムの構成）
はじめに、本実施形態に係る運動支援システム１００の構成について、図１および図２を参照して以下に説明する。
【００３４】
図１は、本発明に係る運動支援システム１００の腰部構成を示すブロック図である。図２は、本発明に係る運動支援システム１００の一実施形態を示す概略構成図である。
【００３５】
図２に示すように、運動支援システム１００は、表示装置（運動支援装置）１と、センシング装置２と、環境コントロール（環境調節装置装置）３と、サーバ装置４とを含んで構成されている。
【００３６】
表示装置１とセンシング装置２とは、有線または無線通信により少なくともセンシング装置２から表示装置１に各種データを送信できるように構成されている。また、表示装置１と環境コントロール装置３とは、有線または無線通信により、互いの間で各種データが送受信できるように構成されている。これらの通信方式としては、例えば、Ｂｌｕｅｔｏｏｔｈ（登録商標）、赤外線通信方式および無線ＬＡＮなどの無線データ通信方式、ならびにケーブルなどを介しての有線接続方式などが挙げられる。
【００３７】
なお、表示装置１における他の装置との通信機能は、表示装置１内に含まれることに限定されず、セットトップボックスやホームゲートウェイのような表示機能を有さない装置に含まれていてもよい。
【００３８】
また、表示装置１とサーバ装置４とは、インターネットなどのネットワーク６を介して互いに接続され、データをやり取りする。
【００３９】
（表示装置１）
表示装置１は、通信部１１、コンテンツ制御部（判定手段）１３、入力部１４、環境制御部（制御手段）１５、表示部（再生手段）１６、および記憶部１７を備えている。
【００４０】
表示装置１は、操作装置８およびディスプレイ９に接続されている。ディスプレイ９は図示しないスピーカを備えており、音声出力機能を有する。なお、操作装置８およびディスプレイ９は、表示装置１と一体的に構成されていてもよい。表示装置１としては、例えば、テレビジョン装置などを用いることができる。
【００４１】
また、記憶部１７は、記憶する情報の種別毎に、機器データ蓄積エリア、ユーザデータ蓄積エリア、コンテンツ蓄積エリア、生体情報蓄積エリア、および環境情報蓄積エリアに分けられる。
【００４２】
その他、各部材の詳細については後述する。
【００４３】
（センシング装置２）
センシング装置２は、通信部２１、生体情報記憶部２２、および生体情報測定部（検出手段）２３を備えている。
【００４４】
生体情報測定部２３は、ユーザの生体を測定する任意のセンサを少なくとも１つ含んで構成される。例えば、生体情報測定部２３は、脈拍センサ、血圧センサ、体温センサなど、測定値を定量的に評価できるセンサや、活動度センサ、発汗量測定センサ、疲労度センサ、脳波センサ、人感センサ、およびバランスセンサなど、そのままでは測定値を定量的に評価できないセンサや、他の公知のセンサ等を利用することができる。
【００４５】
なお、そのままでは測定値を定量的な評価できないセンサについては、その測定値を定量的に評価できる指標に変換した後に、コンテンツ変更の必要性を判定すればよい。例えば、定量的な評価が難しい活動度については、加速度センサで測定した加速度を運動強度である「ＭＥＴＳ値」というように定量的に評価できる指標に変換することによって、コンテンツの変更を可能とすることができる。
【００４６】
センシング装置２は、ユーザの身体、特に、ユーザの指または腕など、脈拍数および血圧などのユーザの生体データを検出可能な部位に装着される装置であることが好ましい。あるいは、生体情報測定部２３の各センサが、センシング装置２本体と別の装置であってもよく、この場合、生体情報測定部２３の各センサが、ユーザの生体データを検出可能な部位に装着されるものであることが好ましい。
【００４７】
その他、各部材の詳細については後述する。
【００４８】
（環境コントロール装置３）
環境コントロール装置３は、通信部３１、環境情報記憶部３２、環境調節部（調節手段）３３、および環境情報測定部（取得手段）３４を備えており、パーソナライズ可能な空間に設置されることが好ましい。環境コントロール装置３としては、エアコン、空気清浄機、加湿器、および照明器具などを利用することができる。
【００４９】
環境情報測定部３４は、ユーザの置かれた環境を測定する任意のセンサを少なくとも１つ含んで構成される。例えば、環境情報測定部３４は、気温センサ、湿度センサ、照度センサ、照明の色調を検出する色味検出センサ、および空気中の菌量を検出する除菌センサや、他の公知のセンサ等を利用することができる。環境情報測定部３４の各センサは、環境コントロール装置３本体と別の装置であってもよい。
【００５０】
環境調節部３３は、実際に環境に働きかける環境調節手段として構成され、表示装置１から受信した環境制御指示に従って環境の調節を行なう。
【００５１】
その他、各部材の詳細については後述する。
【００５２】
なお、図２には１つの環境コントロール装置３が示されているが、複数の環境コントロール装置３が表示装置１に接続されていてもよい。
【００５３】
（サーバ装置４）
サーバ装置４は、通信部４１、受信情報記憶制御部４２、コンテンツ選択部（選択手段）４３、認証情報生成部４４およびデータベース４５を備えている。データベース４５は、機器データエリア、ユーザデータエリア、コンテンツ情報エリア、生体情報エリア、および環境情報エリアに分けられ、各データを記憶管理する。
【００５４】
その他、各部材の詳細については後述する。
【００５５】
（運動支援システム１００の概要）
運動支援システム１００では、表示装置１が運動コンテンツを再生する。上記運動コンテンツは、運動の実施に最適だと予め設定された最適環境情報（設定環境情報）および最適生体情報（設定生体情報）と関連付けられている。表示装置１が運動コンテンツを再生する間、環境コントロール装置３がユーザの置かれた環境を測定し、測定したデータを表示装置１に送信する。
【００５６】
表示装置１は、環境コントロール装置３から受信した環境情報と、再生中の運動コンテンツの最適環境情報とを比較し、一定の差がある場合に、ユーザの環境を最適環境情報に合致されるための環境制御情報を環境コントロール装置３に送信する。
【００５７】
また、表示装置１が運動コンテンツを再生する間であって、環境コントロール装置３による環境調節と共に、センシング装置２は、調節された環境に置かれたユーザの生体情報を検出し、検出したデータを表示装置１に送信する。
【００５８】
表示装置１は、センシング装置２から受信したユーザの生体情報と、再生中の運動コンテンツの最適生体情報とを比較し、一定の差がある場合に、運動負荷の異なる他の運動コンテンツをサーバ装置４に要求する。
【００５９】
サーバ装置４は、表示装置１からのコンテンツ要求に応じて、運動負荷の異なる他の運動コンテンツをデータベース４５から選択し、表示装置１に送信する。表示装置１は、再生している運動コンテンツに換えて、サーバ装置４から受信した他の運動コンテンツを再生する。
【００６０】
すなわち、運動支援システム１００によれば、運動コンテンツを実施するのに最適に調節された環境において、ユーザから生体情報を適切に取得し、この取得した生体情報の変化に応じて運動コンテンツを変更することができる。したがって、運動支援システム１００は、ユーザに最適な運動環境および運動コンテンツを提供することができる。
【００６１】
（運動支援システム１００における処理の一例）
運動支援システム１００において実行される処理の一例について、図３〜図５を参照して以下に説明する。
【００６２】
＜初期設定＞
運動支援システム１００における初期設定について図３を参照して説明する。図３は、運動支援システム１００における初期設定の処理の流れを示すフローチャートである。初期設定では、ユーザが機器情報やユーザの個人情報等をサーバ装置４に登録する。
【００６３】
まず、ユーザは、表示装置１の運動コンテンツ再生用アプリケーションを起動する（ステップＳ１０１）。運動コンテンツ再生用アプリケーションが起動されると、表示装置１は、本起動が初回起動であるかであるか否か判定する（ステップＳ１０２）。
【００６４】
本起動が初回起動である場合、ユーザは、機器名称や機器の設置場所などの機器データを、操作装置８を操作して入力する（ステップＳ１０３）。あるいは、ステップＳ１０３において、機器が保有している機器名称や機器データを取得し、自動的に登録されてもよい。入力部１４は、操作装置８から入力された機器データを受け付け、記憶部１７に出力する。記憶部１７は、入力された機器データを、自らの機器データ記憶エリアに記憶する（ステップＳ１０４）。
【００６５】
また、ユーザは、操作装置８を操作してユーザの個人情報を入力する（ステップＳ１０５）。あるいは、ステップＳ１０５において、外部機器が保有するユーザデータを利用してもよい。個人情報（ユーザデータ）としては、性別、生年月日、身長、および体重等の個人データと、運動目的等の運動用データが挙げられる。入力部１４は、操作装置８から入力されたユーザデータを受け付け、記憶部１７に出力する。記憶部１７は、入力されたユーザデータを自らのユーザデータ記憶エリアに記憶する（ステップＳ１０６）。
【００６６】
なお、ユーザの個人情報を入力する際、センシング装置２にユーザの平常時の生体を測定してもよい。具体的には、センシング装置２の生体情報測定部２２が、ユーザの平常時の生体を測定し、測定した情報を通信部２１に出力する。通信部２１は、入力された情報を表示装置１に送信する。表示装置１において通信部１１が受信し、記憶部１７に出力する。記憶部１７は、入力されたユーザの平常時の生体情報を、他のユーザデータと共に、自らのユーザデータ記憶エリアに記憶する。
【００６７】
通信部１１は、記憶部１７に記憶された機器データおよびユーザデータをサーバ装置４に送信する（ステップＳ１０７）。ＡＣＫ／ＮＡＣＫの受信によって送信完了が確認されない場合には再送信を行なう。
【００６８】
サーバ装置４において通信部４１が、表示装置１から送信された機器データおよびユーザデータを受信する（Ｓ１１１）。この受信に応じて、受信情報記憶制御部４２が、データベース４５にユーザのレコードエリアを作成し、通信部４１が受信した機器データおよびユーザデータを当該レコードエリアに格納する（Ｓ１１２）。
【００６９】
次いで、サーバ装置４では、認証情報生成部４４が、他ユーザのユーザデータとの識別のために、ＩＤと当該ＩＤに対するパスワードを生成する（ステップＳ１１３）。認証情報生成部４４は、生成したＩＤおよびパスワードを通信部４１に出力し、通信部４１は入力された情報を表示装置１に送信する（ステップＳ１１４）。
【００７０】
表示装置１において通信部１１が、サーバ装置４から送信されたＩＤおよびパスワードを受信し、表示部１６に出力する。表示部１６は、入力されたＩＤおよびパスワードをディスプレイ９に表示して、ユーザに提示する（Ｓ１０７）。
【００７１】
これによって初期設定が完了し、以降、ユーザは、運動支援システム１００による運動支援サービスを利用することができる。
【００７２】
＜運動開始前の処理＞
次に、運動開始前の処理について図４を参照して説明する。図４は、運動支援システム１００の運動開始前における処理の流れを示すフローチャートである。本処理では、サーバ装置４が、表示装置１が再生するための運動コンテンツを選択する。
【００７３】
まず、ユーザは、表示装置１の運動コンテンツ再生用アプリケーションを起動する（ステップＳ２０１）。なお、上記初期設定に続いて処理を行なう場合には本ステップを省略してもよい。
【００７４】
次いでユーザは、ＩＤおよびパスワードによる認証情報を、操作装置８を操作して入力する（ステップＳ２０２）。入力部１４は、操作装置８から入力された認証情報を受け付け、通信部１１に出力する。通信部１１は、入力された認証情報をサーバ装置４に送信する。
【００７５】
サーバ装置４において通信部４１が、表示装置１から送信された認証情報を受信する。これによってサーバ装置４は、ＩＤおよびパスワードの認証を行なう（ステップＳ２３１）。
【００７６】
次いで、ユーザは、運動目的（または運動目標）を、操作装置８を操作して入力する（ステップＳ２０３）。入力部１４は、操作装置８から入力されたユーザデータを受け付け、これによって表示装置１には運動目的が設定される。
【００７７】
次いで、ユーザは運動コンテンツを自動選択にするか否かを決定する（ステップＳ２０４）。自動選択にしない場合には、ユーザは、さらに操作装置８を操作し、自ら運動コンテンツの選択をおこなう（ステップＳ２０５）。ユーザは、運動コンテンツの種類および強度情報を参照して最適な運動コンテンツを選択すればよい。入力部１４は、操作装置８から選択された運動コンテンツに関する情報を通信部１１に出力する。通信部１１は、選択された運動コンテンツのデータ取得をサーバ装置４に要求する（ステップＳ２０９）。
【００７８】
自動選択に決定した場合には、ユーザは、操作装置８を操作し、所望の運動コンテンツの種類を選択する（ステップＳ２０６）。例えば、ユーザが運動目的を「リラックス」に設定していた場合には、運動負荷をかけない「ヨガ」のような比較的軽い運動コンテンツが選択対象となる。入力部１４は、操作装置８から選択された運動コンテンツの種類に関する情報を通信部１１に出力する。
【００７９】
また、センシング装置２において、生体情報測定部２３が、ユーザの心拍数や血圧値等の生体を測定し（ステップＳ２４１）、測定した生体情報を通信部２１に出力する。通信部２１は、入力された生体情報を表示装置１へ送信する（ステップＳ２４２）。センシング装置２から送信された生体情報を、表示装置１において通信部１１が受信し、受信した生体情報を記憶部１７に出力する。記憶部１７は、入力された生体情報を自らの生体情報蓄積エリアに記憶する（ステップＳ２０７）。
【００８０】
また、環境コントロール装置３において、環境情報測定部３４が、ユーザが置かれた環境の気温や湿度等の環境を測定し（ステップＳ２２１）、測定した環境情報を通信部３１に出力する。通信部３１は、入力された環境情報を表示装置１へ送信する（ステップＳ２２２）。環境コントロール装置３から送信された環境情報を、表示装置１では通信部１１が受信し、受信した環境情報を記憶部１７に出力する。記憶部１７は、入力された環境情報を自らの環境情報蓄積エリアに記憶する（ステップＳ２０８）。
【００８１】
表示装置１では、通信部１１は、入力された運動コンテンツの種類に関する情報、ならびに、記憶部１７に記憶された生体情報および環境情報をサーバ装置４に送信する。これによって、運動コンテンツのデータ取得をサーバ装置４に要求する（ステップＳ２０９）。
【００８２】
サーバ装置４において通信部４１が、表示装置１から送信された情報を受信し（ステップＳ２３２）、コンテンツ選択部４３に出力する。コンテンツ選択部４３は、入力された情報に基づいてデータベース４５から運動コンテンツを選択する（ステップＳ２３３）。
【００８３】
運動コンテンツデータについて後述にて詳細に説明するが、運動コンテンツデータは、その運動を実施するのに最適であると予め設定された生体情報および環境情報を含んでいる。
【００８４】
ここで、運動コンテンツ自動選択の場合には、コンテンツ選択部４３は、表示装置１から送信された運動コンテンツの種類に関する情報ならびに生体情報および環境情報を利用して、データベース４５から運動コンテンツを選択する。例えば、ユーザ希望の運動コンテンツの種類に合致する運動コンテンツを参照する。さらに、運動コンテンツの含む最適生体情報として、運動開始前における平常時の最適な生体情報が設定されていれば、表示装置１から送信された生体情報と合致する最適生体情報を含む運動コンテンツを選択してもよい。また、表示装置１から送信された環境情報と合致する最適環境情報を含む運動コンテンツを選択してもよい。これらの情報はそれぞれ組み合わせて利用してもよいし、単独で利用してもよい。
【００８５】
コンテンツ選択部４３は、選択した運動コンテンツのデータを通信部４１に出力する。通信部４１は、入力された運動コンテンツデータを表示装置１へ送信する（ステップＳ２３４）。
【００８６】
表示装置１において、通信部１１が、サーバ装置４から送信された運動コンテンツデータを受信する（ステップＳ２０９）。通信部１１は、受信した運動コンテンツデータを表示部１６に出力する。表示部１６は、入力された運動コンテンツデータをディスプレイ９に出力する（ステップＳ２１０）。これにより、ユーザは、ディスプレイ９に表示された映像や、共に出力された音に合わせて運動を開始する。
【００８７】
（運動コンテンツデータの一例）
データベース４５における運動コンテンツデータの一例を図６に示す。図６は、運動コンテンツデータの一例を示す図である。この図に示すように、データベース４５は、表示装置１に配信するために用意された複数の運動コンテンツデータを記憶している。
【００８８】
運動コンテンツデータは、まずコンテンツの種類（（１）、（２）、（３）、・・・（ｎ））によって分類され、さらに運動強度（負荷）（Ａ〜Ｃ）によって分けられている。これらの運動コンテンツデータは、それぞれ時系列方向に複数のフレーム（第１フレーム〜第Ｎフレーム）に分けられている。ユーザは、コンテンツの種類および運動負荷に基づいて最適な運動コンテンツを選択することができる。
【００８９】
また、運動コンテンツデータは、最適生体情報として、脈拍数、血圧、体温、活動度、発汗量、疲労度、脳波、体勢、およびバランス等、その運動を実施するのに最適な生体情報として予め設定されたデータを含んでいる。また、最適生体情報として、運動開始前における平常時の最適な生体情報を含んでいてもよい。
【００９０】
同様に、運動コンテンツデータは、最適環境情報として、気温、湿度、照度、色味、および空気中の菌量等、その運動を実施するのに最適な環境情報として予め設定されたデータを含んでいる。
【００９１】
例えば、種類（１）：ヨガ、強度Ｃ、第３フレームにおける運動コンテンツは、最適生体情報として、最適脈拍を１１０拍／分、その基準値を±２０拍／分として設定されている。同様に、最適環境情報として、最適室温を２８度、その基準値を±３℃として設定され、最適湿度を７０％、その基準値を±１５％として設定されている。
【００９２】
また、最適生体情報および最適環境情報は、運動コンテンツとは別のファイルにレコード情報として記憶されて、コンテンツと結び付けられていてもよい。
【００９３】
＜運動開始後の処理＞
次に、運動コンテンツ再生開始後における運動支援システム１００の処理について図５を参照して説明する。図５は、運動支援システム１００の運動コンテンツ再生開始後における処理の流れを示すフローチャートである。本処理において、表示装置１は、定期的に生体情報や環境情報を取得し、環境コントロールやコンテンツコントロールを行なう。
【００９４】
運動コンテンツの再生が開始すると、環境コントロール装置３における環境情報測定部３４は、気温、湿度、および照度等の環境を測定する（ステップＳ３２１）。一方、センシング装置２における生体情報測定部２３は、環境がユーザの心拍数、血圧値、体温、および活動度等の生体を測定する（ステップＳ３１１）。
【００９５】
まず、環境コントロール装置３における環境情報測定部３４が、測定した生体情報を通信部３１に出力し、通信部３１が、入力された生体情報を表示装置１へ送信する（ステップＳ３２２）。
【００９６】
表示装置１において、通信部１１が、環境コントロール装置３が送信した環境情報を受信し（ステップＳ３０２）、受信した環境情報を環境制御部１５に出力する。環境制御部１５は、入力された環境情報と、現在再生中の運動コンテンツに付随している最適環境情報とを比較し、環境コントロールが必要か否かを判定する（ステップＳ３０３）。両者の間の差分がある基準値を超えていた場合に、環境制御部１５は環境コントロールが必要と判定する。
【００９７】
環境コントロールが必要と判定した場合、環境制御部１５は、現在の環境を、再生中の運動コンテンツに付随する最適環境情報に合わせるための環境制御情報を作成し、作成した環境制御情報を通信部１１に出力する。通信部１１は、入力された環境制御情報を環境コントロール装置３に送信する（ステップＳ３０４）。
【００９８】
環境コントロール装置３において、通信部３１が、表示装置１から送信された環境制御情報を受信し、環境調節部３３に出力する。環境調節部３３は、入力された環境制御情報にしたがって環境を調節する（ステップＳ３２３）。
【００９９】
次に、センシング装置２において、生体情報測定部２３は、測定したユーザの生体情報を通信部２１に出力し、通信部２１は入力された生体情報を表示装置１へ送信する（ステップＳ３１２）。すなわち、ステップＳ３１２では、センシング装置２は、環境コントロール装置３によって調節された環境において測定したユーザの生体情報を表示装置１へ送信している。
【０１００】
表示装置１において、通信部１１が、センシング装置２から送信された生体情報を受信し（ステップＳ３０５）、受信した環境情報をコンテンツ制御部１３に出力する。コンテンツ制御部１３は、入力された生体情報と、現在再生中の運動コンテンツに付随している最適生体情報とを比較し、コンテンツ変更が必要か否かを判定する（ステップＳ３０６）。両者の間の差分がある基準値を超えていた場合、現在再生中の運動コンテンツはユーザに適していない。この場合、コンテンツ制御部１３はコンテンツ変更が必要であると判定する。
【０１０１】
コンテンツ変更が必要であると判定したとき、コンテンツ制御部１３は、運動コンテンツの強度をユーザに適するように変更するためのコンテンツ変更要求を作成し、通信部１１に出力する。通信部１１は、入力されたコンテンツ変更要求をサーバ装置４に送信する。（ステップＳ３０７）。
【０１０２】
サーバ装置４において、通信部４１が、表示装置１から送信されたコンテンツ変更要求を受信し（ステップＳ３３１）、コンテンツ選択部４３に出力する。コンテンツ選択部４３は、入力されたコンテンツ変更要求に従って、強度の異なる運動コンテンツを選択する（ステップＳ３３２）。このとき、同じ種類の運動コンテンツから強度の異なるものを選択すればよい。
コンテンツ選択部４３は、選択した運動コンテンツのデータを通信部４１に出力する。通信部４１は、入力された運動コンテンツデータを表示装置１へ送信する（ステップＳ３３３）。
【０１０３】
表示装置１において、通信部１１が、サーバ装置４から送信された運動コンテンツを受信する（ステップＳ３０８）。通信部１１は、受信した運動コンテンツデータを表示部１６に出力する。表示部１６は、再生中の運動コンテンツから、入力された運動コンテンツに切り替えて、当該運動コンテンツをディスプレイ９に出力する（ステップＳ３０９）。これにより、運動コンテンツの変更が行なわれる。
【０１０４】
運動支援システム１００における各装置は、運動コンテンツの再生が終了する（ステップＳ３１０）まで、以上の処理を繰り返しおこなう。
【０１０５】
（本実施形態の利点）
以上のように、環境コントロール装置３は、ユーザの置かれた環境を、再生される運動コンテンツに付随する最適環境情報にマッチするよう調節する。また、センシング装置２は、環境コントロール装置３によって調節された環境においてユーザの生体を測定する。したがって、表示装置１は、ユーザの適切な生体情報に基づいて、ユーザにとって最適な運動コンテンツを提供することができる。
【０１０６】
（環境制御の変形例）
なお、環境制御を行なうタイミングは、環境測定情報と運動コンテンツに付随する最適環境情報との差分がある基準値を超えていた場合に限定されない。例えば、一定時間毎に行ってもよいし、ユーザが希望するときにおこなってもよい。
【０１０７】
（運動コンテンツ読み出しの例）
コンテンツ選択部４３は、データベースから選択した運動コンテンツを読み出す際、運動コンテンツのフレーム全てを読み出さずに、時間軸で分割された第１フレームのみを読みだしてもよい。これによってフレームごとに毎回運動コンテンツを取得する必要はあるが、一度に取得するデータの容量が削減されるため、効率的にデータの取得が可能となる。
【０１０８】
（環境制御および運動コンテンツデータ変更の一例）
環境制御および運動コンテンツデータ変更の一例について詳細に説明する。
【０１０９】
表示装置１は、環境コントロール装置３から環境情報を受信すると、環境制御部１５が、環境コントロール装置３から送信された環境情報と、運動コンテンツに付随する最適環境情報とがマッチしているか否かを照合する。環境情報がマッチしていなければ、表示装置１は、環境制御部１５の作成した環境調節情報を環境コントロール装置３に送信する。環境コントロール装置３の環境調節部３３は当該環境調節情報に従って、最適環境情報にマッチするように環境を調節する。
【０１１０】
例えば、環境コントロール装置３が加湿器であり、表示装置１が最適環境情報として湿度６０％±１０％が付随しているヨガコンテンツを再生しているとする。このとき環境コントロール装置３の環境情報測定部３４が、部屋の湿度が４０％であると測定した場合、この測定値は最適環境情報の基準値からはずれている。このため、環境コントロール装置３から環境情報を受信した表示装置１において、環境制御部１５は、加湿を行なう内容の環境制御情報を作成し、環境コントロール装置３に当該環境制御情報を送信する。環境コントロール装置３の環境調節部３３は、上記環境制御情報に従って、上記コンテンツの最適環境情報にマッチするように環境をコントロールする。
【０１１１】
環境情報がマッチしている場合、表示装置１では、コンテンツ制御部１３が、センシング装置２から送信された生体情報と、ユーザ所望の運動コンテンツに付随する生体情報とがマッチしているか否か照合する。生体情報がマッチしていなければ、その運動コンテンツを利用して運動を行なう状態は、ユーザにとって快適な状態であるとは言えないため、運動コンテンツを変更するようサーバ装置４に要求する。
【０１１２】
例えば、ユーザが、最適生体情報として、血圧値が平常時±２０、脈拍数が平常値±２０であるデータを付随するヨガコンテンツフレームを選択していたとする。センシング装置２から取得したユーザの血圧値が平常時＋２０よりも大きい場合、またはユーザの脈拍値が平常時＋２０よりも大きい場合、再生中の運動コンテンツはユーザにとって負担が大きいものである。この場合、コンテンツ制御部１３は、現在再生中のものよりも強度の小さな運動コンテンツを選択するようにという内容のコンテンツ変更要求を作成し、サーバ装置４に送信する。
【０１１３】
または、センシング装置２から取得したユーザの血圧値が平常時−２０よりも小さい場合、またはユーザの脈拍値が平常時−２０よりも小さい場合、再生中の運動コンテンツはユーザにとって負担が軽いものである。この場合、コンテンツ制御部１３は、現在再生中のものよりも強度の大きな運動コンテンツを選択するようにという内容のコンテンツ変更要求を作成し、サーバ装置４に送信する。
【０１１４】
サーバ装置４のデータベース４５では、図６に示すように、各種類の運動コンテンツについて、運動開始から終了までの時系列で複数のコンテンツフレームが並べられている。サーバ装置４のコンテンツ選択部４３は、コンテンツ変更要求に応じて、現在再生中の運動コンテンツと同じ種類の同じフレームから、適した強度の運動コンテンツを選択することが好ましい。
【０１１５】
ただし、ユーザが種類または強度を指定して運動コンテンツを選択する場合には、コンテンツを変更しないように設定することも可能とする。
【０１１６】
（表示装置１の構成の変形例）
本実施形態において、表示装置１は、図１１に示すように、サーバ装置４が有する機能を兼ね備えることができる。具体的には、表示装置１は、受信情報記憶制御部４２、コンテンツ選択部４３、認証情報生成部４４およびデータベース４５を備えることができる。これにより表示装置１は、運動コンテンツデータやユーザデータを自らが管理し、必要に応じて運動コンテンツを選択して取り出し、再生することができる。
【０１１７】
また、表示装置１は、センシング装置２の有する生体情報測定部２３や、環境コントロール装置３の有する環境情報測定部３４および環境調節部３３を兼ね備えてもよい。
【０１１８】
すなわち、本発明は、運動支援システム１００の構成に限定されることなく、表示装置１単体としても実現できる。
【０１１９】
〔実施形態２〕
第２の実施形態において、運動支援システム１００の各装置は、図７〜図１０に示すように構成してもよい。
【０１２０】
（表示装置１ａ）
表示装置１ａの構成について、図７を参照して以下に説明する。
【０１２１】
図７は、表示装置１ａの構成を示すブロック図である。図７に示すように、表示装置１ａは、制御部１０１、ならびに、制御部１０１に接続されている、プログラムメモリ１０２、データメモリ１０３、センシング装置通信インターフェース（センシング装置通信Ｉ／Ｆ）１０４、環境コントロール装置通信インターフェース（環境コントロール装置通信Ｉ／Ｆ）１０５、サーバ装置通信インターフェース（サーバ装置通信Ｉ／Ｆ）１０６、および入出力インターフェース（入出力Ｉ／Ｆ）１０７を含んで構成されている。
【０１２２】
プログラムメモリ１０２には、コンテンツ再生プログラム１０２ａ、コンテンツ制御プログラム１０２ｂ、および環境制御プログラム１０２ｃが格納されている。コンテンツ再生プログラム１０２ａは、表示装置１ａにおける各ブロックが初期設定等から運動コンテンツ再生までの処理を行なうように、制御部１０１を機能させるためのプログラムである。コンテンツ制御プログラム１０２ｂは、第１実施形態に記載のコンテンツ制御部１３として、制御部１０１を機能させるためのプログラムである。環境制御プログラム１０２ｃは、第１実施形態に記載の環境制御部１５として、制御部１０１を機能させるためのプログラムである。
【０１２３】
制御部１０１としては、例えば中央処理ユニット（ＣＰＵ：Ｃｅｎｔｒａｌ  Ｐｒｏｃｅｓｓｉｎｇ  Ｕｎｉｔ）などの装置を用いることができる。
【０１２４】
センシング装置通信Ｉ／Ｆ１０４は、センシング装置２ａからデータを受信するためのインターフェースである。制御部１０１は、センシング装置通信Ｉ／Ｆを介して、センシング装置２から生体情報を受信できる。
【０１２５】
環境コントロール装置通信Ｉ／Ｆ１０５は、環境コントロール装置３ａとの間でデータの送受信を行なうためのインターフェースである。制御部１０１は、環境コントロール装置通信Ｉ／Ｆ１０５を介して、環境コントロール装置３から環境情報を受信したり、環境コントロール装置３に環境制御情報を送信したりすることができる。
【０１２６】
サーバ装置通信Ｉ／Ｆ１６は、サーバ装置４ａとの間で通信を行なうためのインターフェースである。制御部１０１は、サーバ装置通信Ｉ／Ｆ１６を介して、サーバ装置４ａから運動コンテンツデータを受信したり、サーバ装置４ａにコンテンツ変更情報を送信したりすることができ、また、ユーザデータやＩＤおよびパスワードによる認証情報等をやりとりすることができる。
【０１２７】
入出力Ｉ／Ｆ１０７は、ユーザが情報を入力したり、運動コンテンツをユーザに提供したりするためのインターフェースである。入出力Ｉ／Ｆ１０７には、テンキーなどの入力手段を有する入力部１０７ａ、および、ディスプレイなどの表示手段やスピーカなどの音声出力手段を有する出力部１０７ｂが接続されている。制御部１０１は、入出力Ｉ／Ｆ１０７を介して、入力部１０７ａにおいて入力された個人データや運動設定情報等のデータを取り込んだり、運動コンテンツやユーザに提示するための情報などを出力部１０７ｂに出力したりすることができる。
【０１２８】
データメモリ１０３は、種々のデータを記憶するための記憶装置である。データメモリ１０３としては、例えば、ハードディスク、フラッシュメモリ、ＲＡＭなどを用いることができる。
【０１２９】
データメモリ１０３は、機器データ蓄積エリア１０３ａ、ユーザデータ蓄積エリア１０３ｂ、コンテンツ蓄積エリア１０３ｃ、生体情報蓄積エリア１０３ｄ、および環境情報蓄積エリア１０３ｅを含んでいる。機器データ蓄積エリア１０３ａには、機器名称および機器の設置場所などの情報（データ）が格納される。ユーザデータ蓄積エリア１０３ｂには、ユーザの個人データおよび運動用データが格納される。これらのユーザデータは、ユーザが入力部１０７ａを介して入力する情報である。コンテンツ蓄積エリア１０３ｃには、サーバ装置４ａから送信された運動コンテンツデータが順次格納される。生体情報蓄積エリア１０３ｄには、センシング装置２ａから送信された生体情報が順次格納される。環境情報蓄積エリア１０３ｅには、環境コントロール装置３ａから送信された環境情報が順次格納される。
【０１３０】
（センシング装置２ａ）
センシング装置２ａの構成について、図８を参照して以下に説明する。
【０１３１】
図８は、センシング装置２ａの構成を示すブロック図である。図８に示すように、センシング装置２ａは、制御部２０１、ならびに制御部２０１に接続された測定部（検出手段）２０２、通信Ｉ／Ｆ２０４、およびメモリ２０３を備えている。
【０１３２】
測定部２０２は、脈拍センサ２０２ａ、血圧センサ２０２ｂ、体温センサ２０２ｃ、および活動度センサ２０２ｄ等の生体を測定するセンサを含んで構成される。各センサは、ユーザの生体情報（脈拍数、血圧、体温、および活動度等）を測定する。なお、各センサは、センシング装置２ａ本体とは別の装置であってもよい。この場合、各センサはセンシング装置２ａにおける通信Ｉ／Ｆ２０４と直接通信してもよい。
【０１３３】
メモリ２０３は、表示装置１に送信する生体情報を、送信するまで一時的に記憶するためのものである。
【０１３４】
通信Ｉ／Ｆ２０４は、表示装置１ａにデータを送信するためのインターフェースである。制御部２０１は、センシング装置２ａにおける各動作を制御し、測定部２０２の各センサによって検出した生体情報を、通信Ｉ／Ｆ２０４を介して表示装置１ａに送信する。
【０１３５】
（環境コントロール装置３ａ）
環境コントロール装置３ａの構成について、図９を参照して以下に説明する。
【０１３６】
図９は、環境コントロール装置３００の構成を示すブロック図である。図９に示すように、環境コントロール装置３ａは、制御部３０１、ならびに制御部３０１に接続された測定部（取得手段）３０２、メモリ３０３、環境コントロール部（調節手段）３０４、および通信Ｉ／Ｆ３０５を備えている。
【０１３７】
測定部３０３は、気温センサ３０２ａ、湿度センサ３０２ｂ、照度センサ３０３ｃ等の環境を測定するセンサを含んで構成される。各センサは、ユーザの置かれた環境情報（気温、湿度、および照度等）を測定する。なお、各センサは、環境コントロール装置３ａ本体とは別の装置であってもよい。この場合、各センサは環境コントロール装置３ａにおける通信Ｉ／Ｆ３０５と直接通信してもよい。
【０１３８】
メモリ３０３は、表示装置１に送信する環境情報を、送信するまで一時的に記憶するためのものである。
【０１３９】
通信Ｉ／Ｆ３０５は、表示装置１ａとの間で通信を行なうためのインターフェースである。
【０１４０】
制御部３０１は、環境コントロール装置３ａにおける各動作を制御する。具体的には、制御部３０１は、測定部３０２の各センサによって検出された環境情報を、通信Ｉ／Ｆ３０５を介して表示装置１ａに送信する。また、制御部３０１は、通信Ｉ／Ｆ３０５を介して表示装置１ａから環境制御情報を受信し、受信した環境制御情報を環境コントロール部３０４に出力する。
【０１４１】
環境コントロール部３０４は、実施形態１の環境調節部３３と同様、実際に環境に働きかける環境調節手段を含んで構成され、表示装置１ａから受信した環境制御指示に従って環境の調節を行なう。
【０１４２】
（サーバ装置４ａ）
サーバ装置４ａの構成について、図１０を参照して以下に説明する。
【０１４３】
図１０は、サーバ装置４の構成を示すブロック図である。図１０に示すように、サーバ装置４ａは、制御部４０１、ならびに制御部４０１に接続されたプログラムメモリ４０２、データベース４０３、および通信Ｉ／Ｆ４０４を備えている。
【０１４４】
プログラムメモリ４２０には、受信情報記憶制御プログラム４０２ａ、認証情報制御プログラム４０２ｂ、ならびにコンテンツ選択プログラム４０２ｃが格納されている。受信情報記憶制御プログラム４０２ａは、第１実施形態に記載の受信情報記憶制御部４０２として、制御部４０１を機能させるためのプログラムである。認証情報制御プログラム４０２ｂは、第１実施形態に記載の認証情報生成部４４として、制御部４０１を機能させるためのプログラムである。コンテンツ選択プログラム４０２ｃは、第１実施形態に記載のコンテンツ選択部４３として、制御部４０１を機能させるためのプログラムである。
【０１４５】
制御部４０１としては、例えば中央処理ユニット（ＣＰＵ：Ｃｅｎｔｒａｌ  Ｐｒｏｃｅｓｓｉｎｇ  Ｕｎｉｔ）などの装置を用いることができる。
【０１４６】
通信Ｉ／Ｆ４０４は、表示装置１ａとの間でデータの送受信を行なうためのインターフェースである。制御部４０１は、通信Ｉ／Ｆ４０４を介して、表示装置１ａからコンテンツ変更情報を受信したり、表示装置１ａに運動コンテンツデータを送信したりすることができ、また、ユーザデータやＩＤおよびパスワードによる認証情報等をやりとりすることができる。
【０１４７】
また、データベース４０３は、機器データエリア４０３ａ、ユーザデータエリア４０３ｂ、コンテンツ情報エリア４０３ｃ、生体情報エリア４０３ｄ、および環境情報エリア４０３ｅを備えている。
【０１４８】
機器データエリア４０３ａには、ホームＩＤ、機器名称、および設置場所などのデータが記憶管理される。
【０１４９】
ユーザデータエリア４０３ｂには、ユーザＩＤ、ホームＩＤ、パスワード、生年月日、性別、伸長、体重、運動目的、運動履歴、平常時の脈拍、および平常時の血圧などのデータが記憶管理される。
【０１５０】
コンテンツ情報エリア４０３ｃには、表示装置１に配信するために用意された複数の運動コンテンツデータが記憶されている。また、コンテンツ情報エリア４０３ｃには、運動コンテンツに付随する、コンテンツＩＤ、コンテンツ名称、種類、強度、時間、概要、およびＵＲＬなどのデータが記憶管理される。
【０１５１】
環境情報エリア４０３ｅには、ホームＩＤ、気温、湿度、および照度などのデータが記憶管理される。
【０１５２】
以上のように構成された運動支援システム１００ａにおける処理の流れは、第１の実施形態において説明したものと同様である。
【０１５３】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１５４】
最後に、表示装置１（および表示装置１ａ）に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１５５】
すなわち表示装置１は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【０１５６】
この構成により、本発明の目的は、所定の記録媒体によっても達成できる。この記録媒体は、上述した機能を実現するソフトウェアである表示装置１の制御プログラムのプログラムコード（実行形式プログラム、中間コードプログラム、ソースプログラム）をコンピュータで読み取り可能に記録していればよい。表示装置１にこの記録媒体を供給する。これにより、コンピュータとしての表示装置１（またはＣＰＵやＭＰＵ）が、供給された記録媒体に記録されているプログラムコードを読み出し、実行すればよい。
【０１５７】
プログラムコードを表示装置１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１５８】
また表示装置１は、通信ネットワークと接続可能に構成しても、本発明の目的を達成できる。この場合、上記のプログラムコードを、通信ネットワークを介して表示装置１に供給する。この通信ネットワークは、表示装置１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１５９】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１６０】
本発明は、般家庭のようなパーソナライズ可能な空間において、ユーザに運動コンテンツを提供する運動支援システムに広く利用可能である。
【符号の説明】
【０１６１】
１、１ａ  表示装置（運動支援装置）
２、２ａ  センシング装置
３、３ａ  環境コントロール装置
４、４ａ  サーバ装置
８  操作装置
９  ディスプレイ
１１  通信部
１３  コンテンツ制御部（判定手段）
１４  入力部（入力手段）
１５  環境制御部（制御手段）
１６  表示部（再生手段）
１７  記憶部
２１  通信部
２２  生体情報記憶部
２３  生体情報測定部（検出手段）
３１  通信部
３２  環境情報記憶部
３３  環境調節部（調節手段）
３４  環境情報測定部（取得手段）
４１  通信部
４３  コンテンツ選択部（選択手段）
４５  データベース
【図１】
2011000191.tif 000003
【図２】
2011000191.tif 000004
【図３】
2011000191.tif 000005
【図４】
2011000191.tif 000006
【図５】
2011000191.tif 000007
【図６】
2011000191.tif 000008
【図７】
2011000191.tif 000009
【図８】
2011000191.tif 000010
【図９】
2011000191.tif 000011
【図１０】
2011000191.tif 000012
【図１１】
2011000191.tif 000013